(57)【特許請求の範囲】
【請求項１】
配電系統の各相に接続された変圧器と、前記配電系統の電圧及び電流を少なくとも計測するセンサと、前記変圧器から需要家への供給電力量を計測する通信機能付き電力量計と、前記センサによる計測値と前記通信機能付き電力量計からの情報とを用いて前記配電系統に対する前記変圧器の接続相を判別する接続相判別装置と、を備えた接続相判別システムにおいて、
前記接続相判別装置は、
前記センサによる計測値に含まれる前記配電系統の各相の電流と、前記通信機能付き電力量計による計測値と、前記変圧器の入出力電流と、前記配電系統の構成情報と、を用いて前記変圧器の接続相を判別するものであって、相種別が特定された前記変圧器の接続相を変更して前記変圧器の複数の接続状態を仮定し、これらの仮定した複数の接続状態について、
前記配電系統の各相の電流と前記変圧器の入力電流の合計値との差を前記配電系統の各相についてそれぞれ算出し、
算出した各相の前記差の合計値である評価値が最小となるような前記接続状態を前記変圧器の接続相として判別することを特徴とする接続相判別システム。
【請求項２】
請求項１に記載した接続相判別システムにおいて、
前記接続相判別装置は、
メタヒューリスティクスによる最適化手法を用いて前記評価値が最小となるような前記接続状態を前記変圧器の接続相として判別することを特徴とする接続相判別システム。
【請求項３】
請求項１または２に記載した接続相判別システムにおいて、
前記通信機能付き電力量計からの情報が当該通信機能付き電力量計による計測電圧を含み、前記接続相判別装置は、前記計測電圧に基づいて前記変圧器の相種別を特定することを特徴とする接続相判別システム。
【請求項４】
請求項１または２に記載した接続相判別システムにおいて、
前記通信機能付き電力量計からの情報が当該通信機能付き電力量計の型式を含み、前記接続相判別装置は、前記型式に基づいて前記変圧器の相種別を特定することを特徴とする接続相判別システム。
【請求項５】
請求項１または２に記載した接続相判別システムにおいて、
前記通信機能付き電力量計からの情報が当該通信機能付き電力量計の定格電圧を含み、前記接続相判別装置は、前記定格電圧に基づいて前記変圧器の相種別を特定することを特徴とする接続相判別システム。
【発明の詳細な説明】
【技術分野】
【０００１】
本発明は、配電系統に対する配電用変圧器の接続相を判別する接続相判別システムに関するものである。
【背景技術】
【０００２】
従来、配電系統に対する柱上変圧器の接続相を推定する技術として、非特許文献1に記載されたものが知られている。
この従来技術では、センサ内蔵開閉器により挟まれた区間内に存在する柱上変圧器の接続相を推定するために、センサ内蔵開閉器の設置点の電圧平均値とスマートメータが計測した各需要家の有効電力平均値とを用いて、区間内の全ての柱上変圧器の接続相の組み合わせに対して潮流計算を実行することにより前記設置点の線路電流平均値を計算し、複数の時間断面における線路電流平均値と計測電流平均値との差の合計値が最小となるような接続相の組み合わせを探索している。
【先行技術文献】
【非特許文献】
【０００３】
【非特許文献１】河野俊介，林泰弘，高野富裕，板屋伸彦，「センサ内蔵開閉器とスマートメータの取得情報を用いた柱上変圧器の接続相推定に関する基礎研究」，平成２８年電気学会電力・エネルギー部門大会予稿集，３-１-２１〜３-１-２２
【発明の概要】
【発明が解決しようとする課題】
【０００４】
非特許文献１に記載された接続相の推定技術では、区間内の全ての柱上変圧器の接続相を組み合わせた状態を想定して潮流計算を実行しているため、センサ内蔵開閉器の設置点における線路電流を求めるために多大な計算量と計算時間を要するという問題があった。
そこで、本発明の解決課題は、配電系統に対する配電用変圧器の接続相を短時間で効率良く判別可能とした接続相判別システムを提供することにある。
【課題を解決するための手段】
【０００５】
上記課題を解決するため、請求項１に係る発明は、
配電系統の各相に接続された変圧器と、前記配電系統の電圧及び電流を少なくとも計測するセンサと、前記変圧器から需要家への供給電力量を計測する通信機能付き電力量計と、前記センサによる計測値と前記通信機能付き電力量計からの情報とを用いて前記配電系統に対する前記変圧器の接続相を判別する接続相判別装置と、を備えた接続相判別システムにおいて、
前記接続相判別装置は、
前記センサによる計測値に含まれる前記配電系統の各相の電流と、前記通信機能付き電力量計による計測値と、前記変圧器の入出力電流と、前記配電系統の構成情報と、を用いて前記変圧器の接続相を判別するものであって、相種別が特定された前記変圧器の接続相を変更して前記変圧器の複数の接続状態を仮定し、これらの仮定した複数の接続状態について、
前記配電系統の各相の電流と前記変圧器の入力電流の合計値との差を前記配電系統の各相についてそれぞれ算出し、
算出した各相の前記差の合計値である評価値が最小となるような前記接続状態を前記変圧器の接続相として判別することを特徴とする。
【０００６】
請求項２に係る発明は、請求項１に記載した接続相判別システムにおいて、
前記接続相判別装置は、メタヒューリスティクスによる最適化手法を用いて前記評価値が最小となるような前記接続状態を前記変圧器の接続相として判別することを特徴とする。
【０００７】
請求項３に係る発明は、請求項１または２に記載した接続相判別システムにおいて、
前記通信機能付き電力量計からの情報が当該通信機能付き電力量計による計測電圧を含み、前記接続相判別装置は、前記計測電圧に基づいて前記変圧器の相種別を特定することを特徴とする。
【０００８】
請求項４に係る発明は、請求項１または２に記載した接続相判別システムにおいて、
前記通信機能付き電力量計からの情報が当該通信機能付き電力量計の型式を含み、前記接続相判別装置は、前記型式に基づいて前記変圧器の相種別を特定することを特徴とする。
【０００９】
請求項５に係る発明は、請求項１または２に記載した接続相判別システムにおいて、
前記通信機能付き電力量計からの情報が当該通信機能付き電力量計の定格電圧を含み、前記接続相判別装置は、前記定格電圧に基づいて前記変圧器の相種別を特定することを特徴とする。
【発明の効果】
【００１０】
本発明においては、接続相判別装置が、スマートメータ等の通信機能付き電力量計による計測値やマスタデータを取得し、上記電力量計による計測電圧、型式、または定格電圧に基づいて上記電力量計の接続先の変圧器の相種別を特定する。そして、相種別を特定した変圧器の接続相を変更することにより複数の接続状態を仮定し、これらの複数の接続状態について求めた評価値が最小になるような接続状態により変圧器の接続相を判別するものである。
これにより、非特許文献１に記載された従来技術に比べて少ない計算時間で変圧器の接続相を判別することができる。
【図面の簡単な説明】
【００１１】
【図１】本発明の実施形態に係る接続相判別システムの構成図である。
【図２】図１におけるセンサ付き開閉器計測データベース（センサ計測値）の説明図である。
【図３】図１における配電系統構成情報の説明図である。
【図４】図１におけるスマートメータ情報データベースの説明図である。
【図５】図１の系統構成を対象とした各部の電流、電圧等の計測例を示す回路図である。
【図６】図１における接続相判別装置の各機能を実現するためのハードウェア構成を示すブロック図である。
【図７】本発明の実施形態による接続相判別処理の第１実施例を示すフローチャートである。
【図８】２台の柱上変圧器の接続相判別処理の具体例を示す図である。
【図９】本発明の実施形態による接続相判別処理の第２実施例を示すフローチャートである。
【図１０】従来技術を示す構成図である。
【発明を実施するための形態】
【００１２】
以下、図に沿って本発明の実施形態を説明する。
図１は、本発明の実施形態に係る接続相判別システムの構成図である。図１において、三相（Ｕ，Ｖ，Ｗ相）の配電系統２０には、各相の電圧、電流、力率等の計測機能と回路の開閉機能とを備えたセンサ付き開閉器ＳＥ１が接続されている。このセンサ付き開閉器ＳＥ１は、上述した電圧等の計測値を後述の接続相判別装置１０に通信回線を介して通信する機能も備えている。
【００１３】
また、センサ付き開閉器ＳＥ１の需要家側に位置する配電系統２０の各相には、配電用変圧器として複数の柱上変圧器ＴＲ１，ＴＲ２，ＴＲ３の一次側が接続されている。ここで、柱上変圧器ＴＲ１，ＴＲ２は単相変圧器、柱上変圧器ＴＲ３は三相変圧器として例示しているが、柱上変圧器の台数や個々の相形式は、図示例に何ら限定されるものではない。
本実施形態に係る接続相判別システムは、柱上変圧器ＴＲ１，ＴＲ２，ＴＲ３の一次側が配電系統２０のどの相に接続されているかを判別するものである。
【００１４】
柱上変圧器ＴＲ１，ＴＲ２，ＴＲ３の二次側には、通信機能付き電力量計としてのスマートメータＳＭ１〜ＳＭ４が接続されている。これらのスマートメータＳＭ１〜ＳＭ４は、例えば３０分ごとの需要家（図示せず）の使用電力量や供給電圧、電流を計測し、これらの計測値を、通信回線を介して接続相判別装置１０に送信する機能を有する。
【００１５】
次に、接続相判別装置１０の構成及び機能について説明する。
接続相判別装置１０は、センサ付き開閉器計測データベース １１と、配電系統構成データベース１２と、変圧器電流算出部１３と、スマートメータ情報データベース１４と、データ選択部１５と、電圧電流解析部１６と、接続相判別部１７と、結果出力部１８とを備えている。
【００１６】
センサ付き開閉器計測データベース１１には、図２に示す如く、センサ付き開閉器ＳＥ１から送信された計測値に基づき、計測日時、各線間電圧、各相の電流、力率等が格納される。
配電系統構成データベース１２には、図３に示すように、電柱番号ごとに緯度、経度、接続先電柱番号、配電線のインピーダンス、各電柱に設置された付帯機器及びそのＩＤ等の情報が格納される。
スマートメータ情報データベース１４には、図４に示すように、スマートメータＳＭ１〜ＳＭ４の設置年月日、接続先柱上変圧器ＩＤ、型式（単相／三相の識別情報を含む）、定格電圧等に関するマスタデータと、スマートメータＳＭ１〜ＳＭ４から送信されたスマートメータ計測値（定周期）と、任意の時刻に収集したスマートメータ計測値（コマンド／レスポンス）とが格納される。
【００１７】
図１に戻って、変圧器電流算出部１３は、配電系統構成情報とスマートメータ計測値とを用いて、所定の時間断面における需要家の消費電力から柱上変圧器ＴＲ１，ＴＲ２，ＴＲ３に流入する所定時間（例えば３０分）の平均電流を算出する。
ここで、図５は、図１の系統構成を対象とした各部の電流、電圧等の計測例を示したものである。柱上変圧器ＴＲ１，ＴＲ２，ＴＲ３の定格、各変圧器の二次側に接続されたスマートメータＳＭ１〜ＳＭ４が計測した３０分消費電力量は、図示する通りである。３０分平均電圧はスマートメータＳＭ１〜ＳＭ４が計測した平均電圧を用いても良いし、センサ内蔵開閉器ＳＥ１の計測電圧と系統インピーダンスとに基づいて推定した値を用いても良い。なお、以下では、３０分平均力率を１．０として説明する。
【００１８】
この場合、配電系統２０から柱上変圧器ＴＲ１に流入する電流は、スマートメータＳＭ１に流入する３０分平均電流を高圧側に換算して求めることができる。すなわち、スマートメータＳＭ１に流入する３０分平均電流＝３０分消費電力量／０．５／３０分平均電圧＝７５０［Ｗｈ］／０．５／１０２［Ｖ］＝１４．７［Ａ］であるから、柱上変圧器ＴＲ１に流入する電流＝１４．７［Ａ］×変圧比＝１４．７［Ａ］×（１００／６６００）＝０．２２［Ａ］となる。ここで、０．５は１時間の消費電力量を３０分に換算するための係数である。
【００１９】
柱上変圧器ＴＲ２についても同様に計算し、スマートメータＳＭ２，ＳＭ３に流入する３０分平均電流はそれぞれ１６［Ａ］，１２［Ａ］となるので、その合計値２８［Ａ］を高圧側に換算すると０．４２［Ａ］となる。
また、柱上変圧器ＴＲ３は三相変圧器であるため、スマートメータＳＭ４に流入する３０分平均電流＝１１４３［Ｗｈ］／０．５／（√３×２００［Ｖ］）＝６．６［Ａ］となり、これを高圧側に換算すると、柱上変圧器ＴＲ３に流入する電流＝６．６［Ａ］×変圧比＝６．６［Ａ］×（２００／６６００）＝０．２［Ａ］となる。
【００２０】
次に、図１のデータ選択部１５は、センサ付き開閉器計測データベース １１から送られた全テータの中から、所定の時間断面における各相の電流、力率を選択し、これらをセンサ計測データとして電圧電流解析部１６に出力する。
電圧電流解析部１６は、上記センサ計測データ及び配電系統構成情報を用いて、配電系統２０の各相の３０分平均有効電流Ｉｕ０，Ｉｖ０，Ｉｗ０を算出する。これらの３０分平均有効電流Ｉｕ０，Ｉｖ０，Ｉｗ０は、センサ付き開閉器ＳＥ１が計測した３０分平均電流に３０分平均力率（ここでは、前述したように１．０とする）を乗算することにより、図５の上段に記載するように、Ｉｕ０＝０．７６３［Ａ］，Ｉｖ０＝０．４２０［Ａ］，Ｉｗ０＝０．６２０［Ａ］となり、これらの電流値を接続相判別部１７に出力する。
【００２１】
接続相判別部１７による詳細な判別処理については後述するが、電圧電流解析部１６から入力された３０分平均有効電流Ｉｕ０，Ｉｖ０，Ｉｗ０、スマートメータ情報、配電系統構成情報、及び、変圧器電流算出部１３が算出した３０分平均電流を用いて、スマートメータＳＭ１〜ＳＭ４の接続先である柱上変圧器ＴＲ１，ＴＲ２，ＴＲ３の接続相をそれぞれ判別して出力する。
結果出力部１８は、接続相判別結果をディスプレイ表示、印刷、記録媒体への記録、外部への伝送等の形式で出力する。
【００２２】
図６は、上述した接続相判別装置１０の各機能を実現するためのハードウェア構成を示しており、パソコンやワークステーションにより実現されるものである。
図６において、ＣＰＵ１０１は、ＲＯＭ等のメモリ１０２に格納されたプログラムに従って図１の変圧器電流算出部１３、データ選択部１５、電圧電流解析部１６、接続相判別部１７等の機能をそれぞれ実行すると共に、システム全体の動作を統括的に制御する。図６の記憶部１０５には前述した各データベース１１，１２，１４が格納される磁気ディスク装置等が用いられるが、これらのデータベースをＣＤやＤＶＤ、ＵＳＢメモリ等の記録媒体１０８に格納しておき、記録媒体駆動部１０６を介してロードしても良いし、ネットワーク接続部１０７を介して外部のパソコンやサーバ等の通信機器からダウンロードしても良い。なお、記憶部１０５や記録媒体１０８、ネットワーク接続部１０７は、図１の結果出力部１８の機能の一部として接続相判別結果を記録し、または外部に伝送するために用いても良い。
入力部１０３は操作員が入力操作するキーボードやマウス、タッチパッド等であり、出力部１０４は図１の結果出力部１８を構成するディスプレイやプリンタ等である。
【００２３】
次に、本実施形態における接続相判別処理の第１実施例について、図７，図８を参照しつつ説明する。
図７において、まず、データ選択部１５により、接続相判別の対象とする時間断面ｔｋ〜ｔｎを選択する（ステップＳ１０）。次に、電圧電流解析部１６は、センサ計測データ及び配電系統構成情報に基づき、センサ付き開閉器ＳＥ１が計測した配電系統２０の各相の有効電流から３０分平均有効電流を算出し（ステップＳ２０）、スマートメータ情報データベース１４から各需要家の３０分電力量を取得する（ステップＳ３０）。
【００２４】
次いで、変圧器電流算出部１３は、スマートメータ情報データベース１４のスマートメータ計測値と配電系統構成情報とに基づいて、柱上変圧器ごとの３０分平均電流を算出する（ステップＳ４０）。
接続相判別部１７は、ステップＳ２０により得た３０分平均有効電流、配電系統構成データベース１２の系統データ（系統構成情報）、柱上変圧器ごとの３０分平均電流、及びスマートメータ情報を取得し（ステップＳ５０）、更に、図４に示したスマートメータ情報（スマートメータマスタデータにおける型式や定格電圧、スマートメータの計測電圧等）から、接続先の柱上変圧器の単相／三相の種別を特定する（ステップＳ６０）。
【００２５】
次に、接続相判別部１７は、ステップＳ７０（具体的にはＳ７１ａ〜Ｓ７７ａ）により柱上変圧器ＴＲ１，ＴＲ２，ＴＲ３の接続相を判別する。
図８は、図５に示した各部の電流、電圧条件の下で、接続相判別部１７が２台の柱上変圧器ＴＲ１，ＴＲ２の接続相を判別する動作を説明する図である。なお、図７のステップＳ６０により、柱上変圧器ＴＲ１，ＴＲ２の相種別が単相であり、柱上変圧器ＴＲ３の相種別が三相であることは既に特定されている。このため、以下ではＴＲ１，ＴＲ２を単相変圧器、ＴＲ３を三相変圧器と呼んで説明する。
【００２６】
まず、接続相判別部１７は、図８に示すように、（Ａ）単相変圧器ＴＲ１の接続相はＶ相，Ｗ相であり、単相変圧器ＴＲ２の接続相はＵ相，Ｖ相である、（Ｂ）単相変圧器ＴＲ１の接続相はＵ相，Ｖ相であり、単相変圧器ＴＲ２の接続相はＷ相，Ｕ相である、という二つの接続状態を仮定する。
そして、上記接続状態（Ａ），（Ｂ）について、配電系統２０の各相から単相変圧器ＴＲ１，ＴＲ２に流入する電流の合計換算値Ｉｕ１，Ｉｖ１，Ｉｗ１を求める。この場合の換算には、図８の下段のカッコ内に記載した下記の数式１を用いる。
【数１】
0006882725.tif 000002
同様にして、接続状態（Ａ），（Ｂ）について、配電系統２０の各相から三相変圧器ＴＲ３に流入する電流の合計換算値Ｉｕ２，Ｉｖ２，Ｉｗ２を求める。
なお、図５，図８の例では、単相変圧器が２台、三相変圧器が１台であるが、各変圧器の台数は任意で良く、何れにしても配電系統２０の各相から単相変圧器、三相変圧器にそれぞれ流入する電流の合計換算値Ｉｕ１，Ｉｖ１，Ｉｗ１及びＩｕ２，Ｉｖ２，Ｉｗ２を求めれば良い。
【００２７】
続いて、接続状態（Ａ），（Ｂ）について、評価値（評価関数）としてｆ（ｖｗ，ｕｖ）ｔ，ｆ（ｕｖ，ｗｕ）ｔを演算する。この評価値は、例えばＵ相の３０分平均有効電流Ｉｕ０は、単相変圧器、三相変圧器にそれぞれ流入する電流の合計換算値Ｉｕ１，Ｉｕ２の和に等しい（他のＶ相，Ｗ相の平均有効電流Ｉｖ０，Ｉｗ０についても同様）という原理に基づいており、Ｕ，Ｖ，Ｗの各相について演算した｜Ｉｕ０−Ｉｕ１−Ｉｕ２｜，｜Ｉｖ０−Ｉｖ１−Ｉｖ２｜，｜Ｉｗ０−Ｉｗ１−Ｉｗ２｜の合計値を、所定の時間断面における評価値ｆ（ｖｗ，ｕｖ）ｔ，ｆ（ｕｖ，ｗｕ）ｔとして演算する。
【００２８】
図８の例では、接続状態（Ａ）についての｜Ｉｕ０−Ｉｕ１−Ｉｕ２｜，｜Ｉｖ０−Ｉｖ１−Ｉｖ２｜，｜Ｉｗ０−Ｉｗ１−Ｉｗ２｜は数式２となり、評価値であるｆ（ｖｗ，ｕｖ）ｔは数式３となる。
【数２】
0006882725.tif 000003
【数３】
0006882725.tif 000004
【００２９】
また、接続状態（Ｂ）についての｜Ｉｕ０−Ｉｕ１−Ｉｕ２｜，｜Ｉｖ０−Ｉｖ１−Ｉｖ２｜，｜Ｉｗ０−Ｉｗ１−Ｉｗ２｜は数式４となり、評価値であるｆ（ｕｖ，ｗｕ）ｔは数式５となる。
【数４】
0006882725.tif 000005
【数５】
0006882725.tif 000006
【００３０】
そして、演算した数式３，数式５の評価値ｆ（ｖｗ，ｕｖ）ｔ，ｆ（ｕｖ，ｗｕ）ｔのうちの最小値に対応する接続状態を、単相変圧器ＴＲ１，ＴＲ２の接続相として同定する。図８の例では、接続状態（Ｂ）における数式５の評価値ｆ（ｕｖ，ｗｕ）ｔが最小であるから、単相変圧器ＴＲ１の接続相はＵ相，Ｖ相であり、単相変圧器ＴＲ２の接続相はＷ相，Ｕ相である、とした仮定を真正なものとして接続相の判別を終了する。
なお、上記の説明では、数式１の各相の電流ベクトルを数値に変換した合計換算値を用いて数式２，数式４を計算し、これらの数式２，数式４に基づいて数式３，数式５の評価値を演算しているが、数式１の各相の電流ベクトルをそのまま数式２に代入し、最後に絶対値をとって得た数値を用いて数式３，数式５の評価値を演算しても良い。
【００３１】
図７のステップＳ７０は上記の接続相判別処理を行うものであり、このステップＳ７０内のステップＳ７２ａ〜Ｓ７４ａは、上述した各接続状態（θとする）の各時間断面における関数ｆ（θ）ｔの合計値を求めて評価値ｆ（θ）を求める処理、ステップＳ７５ａ〜Ｓ７７ａは上記評価値ｆ（θ）が最小値ｆｍｉｎ（θ）となるような接続状態θｍｉｎを求める処理であり、これら一連の処理を全ての接続状態θ１〜θｍについて繰り返し実行する（ステップＳ７１ａ）。
こうして接続状態θｍｉｎを求めることにより接続相判別処理（ステップＳ７０）が終了し、結果出力部１８により、接続状態θｍｉｎに対応する単相変圧器ＴＲ１，ＴＲ２の接続相判別結果を出力するものである（ステップＳ８０）。
【００３２】
次に、図９は、本実施形態における接続相判別処理の第２実施例を示すフローチャートである。図９のステップＳ１０〜Ｓ６０，Ｓ８０は図７と同様であり、接続相判別処理（ステップＳ７０）の内容が図７と異なっている。
この第２実施例では、ステップＳ７０の接続相判別処理として、メタヒューリスティクスによる最適化手法の一例である遺伝的アルゴリズム（ＧＡ）を用いている。なお、最適化手法としては、粒子群最適化法やタブーサーチ等の各種の手法を用いることができる。
【００３３】
図９において、初めに接続状態θを遺伝子とするｍ個の個体からなる初期個体群を生成し（ステップＳ７１ｂ）、時間断面ｔ、接続状態θにおける個体ｋの評価値ｆ（θ）ｋｔを算出する処理を全ての時間断面につき繰り返し実行する（ステップＳ７３ｂ，Ｓ７４ｂ）。そして、上記評価値ｆ（θ）ｋｔの合計値を算出する処理を全ての個体について実行し（ステップＳ７５ｂ，Ｓ７２ｂ）、更に、交叉、突然変異等の遺伝的操作（ステップＳ７６ｂ）を行いながら、終了条件が満たされるまで前述した一連の処理（ステップＳ７２ｂ〜Ｓ７７ｂ）を実行する。
そして、評価値が最小となった遺伝子（接続状態θ）をθｍｉｎに格納することにより（ステップＳ７８ｂ）、接続相判別処理が終了する。
その後、第１実施例と同様に、結果出力部１８により、接続状態θｍｉｎに対応する単相変圧器ＴＲ１，ＴＲ２の接続相判別結果を出力する（ステップＳ８０）。
【００３４】
次に、図示されていないが、本実施形態における接続相判別処理の第３実施例を説明する。
電圧電流解析部１６や変圧器電流算出部１３では、例えば１日単位の計測データに基づいて各相の３０分平均有効電流や３０分平均電流を算出するので、需要家の消費電力量がほぼ０である場合には算出する電流もほぼ０となる。
そこで、接続相判別部１７では、図７，図９のステップＳ５０により取得したデータに基づき、電圧電流解析部１６または変圧器電流算出部１３からの入力データがほぼ０であることを検出した場合には、柱上変圧器の接続相の判別処理を省略することにより計算量を少なくすることができる。
【符号の説明】
【００３５】
１０：接続相判別装置
１１：センサ付き開閉器計測データベース 
１２：配電系統構成データベース
１３：変圧器電流算出部 
１４：スマートメータ情報データベース
１５：データ選択部
１６：電圧電流解析部
１７：接続相判別部
１８：結果出力部
２０：配電系統
１０１：ＣＰＵ
１０２：メモリ
１０３：入力部
１０４：出力部
１０５：記憶部
１０６：記憶媒体駆動部
１０７：ネットワーク接続部
１０８：記憶媒体
ＳＥ１：センサ付き開閉器
ＴＲ１〜ＴＲ３：柱上変圧器
ＳＭ１〜ＳＭ４：スマートメータ（通信機能付き電力量計）
【要約】
【課題】配電系統に対する配電用変圧器の接続相を短時間で効率良く判別可能とした接続相判別システムを提供する。
【解決手段】配電系統２０の各相に接続された柱上変圧器ＴＲ１〜ＴＲ３と、配電系統２０の電圧及び電流を少なくとも計測するセンサ付き開閉器ＳＥ１と、柱上変圧器ＴＲ１〜ＴＲ３から需要家への供給電力量を計測するスマートメータＳＭ１〜ＳＭ４と、センサ付き開閉器ＳＥ１による計測値とスマートメータＳＭ１〜ＳＭ４からの情報とが入力される接続相判別装置１０とを備え、接続相判別装置１０は、センサによる計測値に含まれる配電系統２０の各相の電流と、スマートメータＳＭ１〜ＳＭ４による計測値と、スマートメータＳＭ１〜ＳＭ４からの情報に基づいて相種別が特定された柱上変圧器ＴＲ１〜ＴＲ３の入出力電流と、配電系統２０の構成情報とを用いて、配電系統２０に対する柱上変圧器ＴＲ１〜ＴＲ３の接続相を判別する。
【選択図】図１【図１】
0006882725.tif 000007
【図２】
0006882725.tif 000008
【図３】
0006882725.tif 000009
【図４】
0006882725.tif 000010
【図５】
0006882725.tif 000011
【図６】
0006882725.tif 000012
【図７】
0006882725.tif 000013
【図８】
0006882725.tif 000014
【図９】
0006882725.tif 000015
【図１０】
0006882725.tif 000016